(57)【要約】【課題】自動販売機に設置する商品見本の表示シートにおいて、購入者に対する視覚的アピールに優れ、いわゆるアイキャッチ効果を向上した表示シート及び表示シートカバーを提供する。【課題の解決手段】表示シート１１は、自動販売機に取り付ける枠体に着脱可能に装着するものであって、透視可能であり、その裏面側には、販売商品を識別するために販売商品のデザインにならった表示をした印刷層を設ける一方、その表面側には、光透過性を有する紫外線硬化型インキで多数の水滴様の突部１４をスクリーン印刷で立体的に形成したものである。【選択図】    図１
2005011288.tif 000002
【特許請求の範囲】
【請求項１】
自動販売機に取り付ける本体とこの本体に着脱可能に装着する表示シートとからなる商品見本の前記表示シートであって、前記表示シートには、販売商品を識別するために販売商品容器のデザインにならった表示を印刷するとともに、その表面には光透過性を有する紫外線硬化型インキで販売商品容器表面に付着する水や氷の粒状物を模した多数の突部を立体的に印刷してなることを特徴とする自動販売機に設置する商品見本の表示シート。
【請求項２】
自動販売機に取り付ける本体とこの本体に着脱可能に装着する表示シートとからなる商品見本の前記表示シートであって、前記表示シートには、販売商品を識別するために販売商品容器のデザインにならった表示を印刷するとともに、その表面には光透過性を有する紫外線硬化型インキで多数の水滴様の突部を立体的に印刷してなることを特徴とする自動販売機に設置する商品見本の表示シート。
【請求項３】
自動販売機に取り付ける枠体とこの枠体に着脱可能に装着する表示シートとからなる缶状商品見本の前記表示シートであって、前記表示シートは透視可能であり、その裏面側には販売商品を識別するために販売商品缶容器のデザインにならった表示を印刷し、その表面側には光透過性を有する紫外線硬化型インキで多数の水滴様の突部を立体的に印刷してなることを特徴とする自動販売機に設置する商品見本の表示シート。
【請求項４】
不透明インキで多数の水滴様の印刷をした上に重ねて、光透過性を有する紫外線硬化型インキで水滴様の突部を立体的に印刷してなることを特徴とする請求項２または請求項３に記載の自動販売機に設置する商品見本の表示シート。
【請求項５】
自動販売機に取り付ける本体とこの本体に着脱可能に装着する販売商品を識別するために販売商品容器のデザインにならった表示を印刷してなる表示シートとからなる商品見本の前記表示シートの表面側を被覆するよう前記本体に装着する表示シートカバーであって、前記表示シートカバーは透視可能であり、その表面側には光透過性を有する紫外線硬化型インキで販売商品容器表面に付着する水や氷の粒状物を模した突部を立体的に印刷してなることを特徴とする自動販売機に設置する商品見本の表示シートカバー。
【請求項６】
自動販売機に取り付ける本体とこの本体に着脱可能に装着する販売商品を識別するために販売商品容器のデザインにならった表示を印刷してなる表示シートとからなる商品見本の前記表示シートの表面側を被覆するよう前記本体に装着する表示シートカバーであって、前記表示シートカバーは透視可能であり、その表面側には光透過性を有する紫外線硬化型インキで水滴様の突部を立体的に印刷してなることを特徴とする自動販売機に設置する商品見本の表示シートカバー。
【請求項７】
不透明インキで多数の水滴様の印刷をした上に重ねて、光透過性を有する紫外線硬化型インキで水滴様の突部を立体的に印刷してなることを特徴とする請求項６に記載の自動販売機に設置する商品見本の表示シート。
【発明の詳細な説明】
【０００１】
【発明の属する技術分野】
本発明は、自動販売機において商品購入者が視認可能な位置に設置する商品見本の表示シート及び表示シートのカバーに関する。
【０００２】
【従来の技術】
従来のこの種商品見本の表示シートは、販売商品容器に表示された商品名を含む図柄や文字などとほぼ同一の表示を有し、自動販売機に取り付けるための、例えば枠状の本体に、着脱可能に装着するのが一般的である。そして、図８に示すように、本体と表示シートからなる商品見本、例えば缶状に形成してなる商品見本缶３は、自動販売機１の正面上部に設けた販売商品名などを表示した表示部２の下の設置棚に設置される。なお、図８中、４は各商品見本缶３毎に設けた商品選択ボタン、５はコイン投入口、６は自動販売機１の販売商品全般に関する販売促進用の宣伝広告文を表示した宣伝プレートであり、この宣伝プレート６は、取付具７で取付部８に取り付けられ、その下には開閉可能な合成樹脂製カバー（図示せず）を備えた商品取り出し口９を設けている。また、１０は透明な合成樹脂製の保護カバーであり、前記商品選択ボタン４は、この保護カバー１０から突出し、外部に露出している。
【０００３】
従来における商品見本缶３は、上述したように、自動販売機１に取り付ける本体とこの本体に着脱可能に装着する表示シートとからなり、図８では明らかでないが、前記表示シートに、販売商品を識別するために販売商品容器のデザインにならった表示を印刷しているのが一般的である（例えば特許文献１参照）。
【０００４】
【特許文献１】
実用新案登録第３０１１０９１号公報（図１）
【０００５】
【発明が解決しようとする課題】
このため、従来においては、商品見本缶３の表示シートの表示が平板的で購入者に対する視覚的アピールに欠け、いわゆるアイキャッチ効果を向上し、購買意欲をそそることが困難であるという不都合を生じている。本発明は、この不都合を解消してアイキャッチ効果に優れた表示シート及び表示シートカバーを提供することを目的とする。
【０００６】
【課題を解決するための手段】
この目的を達成するため、本発明の請求項１に係る自動販売機に設置する商品見本の表示シートは、自動販売機に取り付ける本体とこの本体に着脱可能に装着する表示シートとからなる商品見本の前記表示シートであって、前記表示シートには、販売商品を識別するために販売商品容器のデザインにならった表示を印刷するとともに、その表面には光透過性を有する紫外線硬化型インキで販売商品容器表面に付着する水や氷の粒状物を模した多数の突部を立体的に印刷してなるものである。
【０００７】
同じく上述の目的を達成するため、本発明の請求項２に係る自動販売機に設置する商品見本の表示シートは、自動販売機に取り付ける本体とこの本体に着脱可能に装着する表示シートとからなる商品見本の前記表示シートであって、前記表示シートには、販売商品を識別するために販売商品容器のデザインにならった表示を印刷するとともに、その表面には光透過性を有する紫外線硬化型インキで多数の水滴様の突部を立体的に印刷してなるものである。
【０００８】
同じく上述の目的を達成するため、本発明の請求項３に係る自動販売機に設置する商品見本の表示シートは、自動販売機に取り付ける枠体とこの枠体に着脱可能に装着する表示シートとからなる缶状商品見本の前記表示シートであって、前記表示シートは透視可能であり、その裏面側には販売商品を識別するために販売商品容器のデザインにならった表示を印刷し、その表面側には光透過性を有する紫外線硬化型インキで多数の水滴様の突部を立体的に印刷してなるものである。
【０００９】
同じく上述の目的を達成するため、本発明の請求項４に係る自動販売機に設置する商品見本の表示シートは、上記請求項２または上記請求項３に記載の商品見本の表示シートにおいて、不透明インキ、好ましくは白色または黒色のインキで多数の水滴様を平面的に印刷した上に重ねて、光透過性を有する紫外線硬化型インキで水滴様の突部を立体的に印刷してなるものである。
【００１０】
同じく上述の目的を達成するため、本発明の請求項５に係る自動販売機に設置する商品見本の表示シートカバーは、自動販売機に取り付ける本体とこの本体に着脱可能に装着する販売商品を識別するために販売商品容器のデザインにならった表示を印刷してなる表示シートとからなる商品見本の前記表示シートの表面側を被覆するよう前記本体に装着する表示シートカバーであって、前記表示シートカバーは透視可能であり、その表面側には光透過性を有する紫外線硬化型インキで販売商品容器表面に付着する水や氷の粒状物を模した突部を立体的に印刷してなるものである。
【００１１】
同じく上述の目的を達成するため、本発明の請求項６に係る自動販売機に設置する商品見本の表示シートカバーは、自動販売機に取り付ける本体とこの本体に着脱可能に装着する販売商品を識別するために販売商品容器のデザインにならった表示を印刷してなる表示シートとからなる商品見本の前記表示シートの表面側を被覆するよう前記本体に装着する表示シートカバーであって、前記表示シートカバーは透視可能であり、その表面側には光透過性を有する紫外線硬化型インキで水滴様の突部を立体的に印刷してなるものである。
【００１２】
同じく上述の目的を達成するため、本発明の請求項７に係る自動販売機に設置する商品見本の表示シートカバーは、上記請求項６に記載の商品見本の表示シートカバーにおいて、不透明インキ、好ましくは白色または黒色のインキで多数の水滴様を平面的に印刷した上に重ねて、光透過性を有する紫外線硬化型インキで水滴様の突部を立体的に印刷してなるものである。
【００１３】
【発明の実施の形態】
以下、本発明を商品見本缶に適用した場合の好適な実施形態を添付図面に基づいて説明する。ここにおいて、図１〜図５は表示シートに関する実施形態を示すもので、図１は表示シートの正面図、図２はその部分拡大断面図、図３は枠体の正面図、図４はこの表示シートを用いた商品見本缶の正面図、図５は同じく側面図である。また、図６，図７は表示シートカバーに関する実施形態を示すもので、図６は表示シートカバーの正面図、図７はこの表示シートカバーを用いた商品見本缶の断面図である。
【００１４】
図１及び図２に示すように、表示シート１１は透明な軟質性樹脂シートからなるシート基材１２を備え、このシート基材１２の裏面には、販売商品を識別するために販売商品容器のデザインにならって「グレープフルーツ」という商品たるジュースの種類名とグレープフルーツの図柄を地色とともにカラー印刷で表示した印刷層１３を設け、前記シート基材１２の表面には、光透過性を有する紫外線硬化型インキで水滴様の突部１４を立体的に印刷して形成してなる。これらの印刷は、公知のスクリーン印刷で行うことができる。そして、前記突部１４は紫外線硬化型インキで印刷するので、前記シート基材１２面にインキを盛り上げた状態で紫外線を照射して直ちに硬化可能であり、立体的な水滴様の構成を容易かつ確実に得られる。
【００１５】
図３に示すように、表示シート１１を装着する枠体１５は公知の構成で、硬質性樹脂材からなり、販売商品の飲料缶の上面にならった円形の天板に沿って設けた上縁１６と、飲料缶の周面の一部にならった曲面状に形成し、前面は半周を超えて開口して背面の上部で連続する右側面１７及び左側面１８と、三つの透孔１９，２０，２１を設けた傾斜背面２２（図５参照）と、前記右側面１７と前記左側面１８の下端を連結する曲面状の下縁２３とからなる。なお、前記透孔１９は二等辺三角形の頂角と等辺をアール状に形成した山形状、前記透孔２０は円形状、前記透孔２１は縦長長方形の長辺の中央部を樽状に膨らませた形状にそれぞれ形成している。
【００１６】
そして、この枠体１５の右側面１７と左側面１８の内側には、表示シート１１の両側端を前記両側面１７，１８とともに係止する一対の係止突片（図示せず、図７の係止突片５３参照）を設ける一方、下縁２３上端面中央には、前記表示シート１１の下端を前記下縁２３とともに係止する係止突起２４を設けている。また、枠体１５の透孔２１の傾斜背面２２外面に沿って、自動販売機（図８参照）の設置棚に設けた係合孔（図示せず）に係合するための係合突縁２５を設けている。
【００１７】
上述した表示シート１１を枠体１５に装着して、図４及び図５に示す商品見本缶３１とするには、前記表示シート１１を、その両側端を接近させるように湾曲して、その上端を前記枠体１５の上縁１６裏面側の溝（図示せず、図７の溝５６参照）に係止するように挿入し、さらに、前記両側端の上部を枠体１５の両側面１７，１８と係合突片との間に挿入したうえ、徐々に下端に向けて前記両側面１７，１８の内側に挿入し、その下端を下縁２３内側に挿入して前記下縁２３と係合突起２４で係止すればよい。
【００１８】
この商品見本缶３１は、その枠体１５の傾斜背面に設けた係合突縁２５によって、図５に示す従来の商品見本缶３と同様に、自動販売機１の設置棚に設けた係合孔（図示せず）に係合して設置されるものである。そして、この商品見本缶３１によれば、表示シート１１に水滴様の突部１４が形成されていることによって、缶容器表面に水滴が付いているように立体的に視認されるので、ジュースなどの商品がよく冷えている状態を購入者に視覚的にアピールすることができ、アイキャッチ効果が向上する。
【００１９】
続いて、図６及び図７に基づいて、表示シートカバーに関する実施形態を説明する。表示シートカバー４１は、被覆対象となる表示シート４３と同一形状の透明な軟質性樹脂シートからなり、その表面には、光透過性を有する紫外線硬化型インキで水滴様の突部４２を公知のスクリーン印刷で立体的に形成してなる。前記表示シート４３の形状は図７では理解できないが、上述の図１に示す表示シート１１と同一であり、また、透明な軟質性樹脂シートからなって、その裏面には、図示してはいないが、販売商品を識別するために販売商品容器のデザインにならった商品名や材料となった果実等の図柄を地色とともにカラー印刷で表示した印刷層をスクリーン印刷で設けている。
【００２０】
表示シート４３及び表示シートカバー４１を装着する枠体４５は上述の枠体１５と同一構成で、硬質性樹脂シートからなり、販売商品である飲料缶の上面にならった円形の天板に沿って設けた上縁４６と、飲料缶の周面の一部にならった曲面状に形成し、前面は半周を超えて開口して背面の上部で連続する右側面（図示せず）及び左側面４７と、三つの透孔４８，４９，５０を設けた傾斜背面５１と、前記右側面と前記左側面４７の下端を連結する曲面状の下縁５２とからなる。そして、前記上縁４６の裏面側には、表示シート４３及び表示シートカバー４１の上端を係止する溝５６が設けられている。
【００２１】
そして、この枠体４５の右側面（図示せず）と左側面４７の内側には、表示シートカバー４１と表示シート４３を重ねた状態で、それらの両側端を前記両側面４７とともに係止する一対の係止突片５３（左側面４７側のみ図示）を設ける一方、下縁５２上端面中央には、前記表示シートカバー４１及び表示シート４３の下端を前記下縁５２とともに係止する係止突起５４を設けている。また、枠体４５の透孔５０の傾斜背面５１外面に沿って、自動販売機（図８参照）の設置棚に設けた係合孔（図示せず）に係合するための係合突縁５５を設けている。
【００２２】
上述した表示シートカバー４１及び表示シート４２を枠体４５に装着して、図７に示す商品見本缶６１とするには、上述した表示シート１１の場合と同様であるが、まず、表示シート４２を枠体４５に装着した後、表示シートカバー４１を枠体４５に装着すればよい。したがって、この表示シートカバー４１は、既に自動販売機に設置されている表示シートを備えた商品見本缶にも、いわゆる後付けとして使用可能である。
【００２３】
この商品見本缶６１によれば、表示シート４３を表示シートカバー４１で被覆するように枠体４５に装着することにより、前記表示シート４３に水滴様の突部４２が形成されているように視認されて、缶容器表面に水滴が付いているように立体的に視認されるので、ジュースなどの商品がよく冷えている状態を購入者に視覚的にアピールすることができ、アイキャッチ効果が向上する。
【００２４】
なお、本発明は上述の実施形態に限定されるものではなく、例えば、光透過性を有しない、好ましくは黒色または白色の不透明インキで多数の水滴様の印刷を平面的にした上に重ねて、光透過性を有する紫外線硬化型インキで水滴様の突部１４，４２を立体的に印刷して形成すると、黒色または白色のインキによる水滴様の下地印刷で、突部１４，４２の立体感をより一層明確にすることができる。また、前記突部１４，４２は水滴様のほか、氷粒などの容器面に付着する粒状物を模したものでもよい。さらに、表示シート１１，４３に表示する情報は、販売商品に応じて適宜変更されるものであり、表示シート１１，４３の形状も、自動販売機１の設置棚の構成に応じて適宜変更される枠体１５，４５の形状に応じて変更される。またさらに、商品見本は商品見本缶３１，６１のような缶状に限らず、ボトル状やカップ状の各種飲料容器にならった見本に適用可能である。
【００２５】
【発明の効果】
以上説明したところで明らかなように、本願の請求項１に係る発明によれば、商品見本の本体に装着した表示シートに、透明な水や氷の粒状物の突部が設けられているので、自動販売機の前に立った購入者は立体的な水滴や氷粒を視認することになり、飲料の商品見本のアイキャッチ効果が格段に向上して、購買意欲をそそり、販売促進に貢献することができるという効果を奏する。
【００２６】
以上説明したところで明らかなように、本願の請求項２に係る発明によれば、商品見本の本体に装着した表示シートに、透明な水滴様の突部が設けられているので、自動販売機の前に立った購入者は立体的な水滴を視認することになり、飲料の商品見本のアイキャッチ効果が格段に向上して、購買意欲をそそり、販売促進に貢献することができるという効果を奏する。
【００２７】
また、本願の請求項３に係る発明によれば、商品見本の枠体に装着した表示シートに、透明な水滴様の突部が設けられているので、自動販売機の前に立った購入者は立体的な水滴を視認することになり、飲料の商品見本缶のアイキャッチ効果が格段に向上して、購買意欲をそそり、販売促進に貢献することができるという効果を奏する。
【００２８】
さらに、本願の請求項４に係る発明によれば、上述の請求項２または請求項３に係る発明の効果に加えて、下地印刷によって陰影が強調され、より立体感に優れた水滴様の突部として視認されるという効果を奏する。
【００２９】
さらにまた、本願の請求項５に係る発明によれば、既に設置済みの商品見本にも適用でき、これら設置済みの飲料の商品見本についても、透明な水や氷の粒状物の突部を設けることで、自動販売機の前に立った購入者は立体的な水滴や氷粒を視認することになり、アイキャッチ効果を向上して、購買意欲をそそり、販売促進に貢献することができるという効果を奏する。
【００３０】
またさらに、本願の請求項６に係る発明によれば、既に設置済みの商品見本にも適用でき、これら設置済みの飲料の商品見本についても、透明な水滴様の突部を設けることで、自動販売機の前に立った購入者は立体的な水滴を視認することになり、アイキャッチ効果を向上して、購買意欲をそそり、販売促進に貢献することができるという効果を奏する。
【００３１】
また、本願の請求項７に係る発明によれば、上記請求項６に係る発明の効果に加えて、下地印刷によって陰影が強調され、より立体感に優れた水滴様の突部として視認されるという効果を奏する。
【図面の簡単な説明】
【図１】第１の実施形態における表示シートの正面図。
【図２】表示シートの部分拡大断面図。
【図３】枠体の正面図。
【図４】表示シートを枠体に装着してなる商品見本缶の正面図。
【図５】同じく商品見本缶の側面図。
【図６】第２の実施形態における表示シートカバーの正面図。
【図７】表示シートカバーを枠体に装着してなる商品見本缶の断面図。
【図８】従来の自動販売機における見本缶の設置状態を示す正面図。
【符号の説明】
１１，４３      表示シート
１２      シート基材
１３      印刷層
１４      突部
１５      枠体
１６      上縁
１７      右側面
１８      左側面
２２      傾斜背面
２３      下縁
２４，５４      係合突起
２５，５５      係合突縁
３１，６１      商品見本缶
４１      表示シートカバー
４２      突部
５３      係合突片
５６      溝
【図１】
2005011288.tif 000003
【図２】
2005011288.tif 000004
【図３】
2005011288.tif 000005
【図４】
2005011288.tif 000006
【図５】
2005011288.tif 000007
【図６】
2005011288.tif 000008
【図７】
2005011288.tif 000009
【図８】
2005011288.tif 000010